(57)【要約】【課題】温度センサを設けることなく光ディスク記録再生装置内の温度が光ディスクの動作保証温度を超えないように制御し、騒音を低減することができる光ディスク記録再生装置を提供すること。【解決手段】光ディスクに記録された情報を再生する光ディスク記録再生装置において、前記光ディスク記録再生装置は、前記光ディスクに記録された情報を読み取る光ピックアップと、前記光ディスク記録再生装置を換気するファンとを備え、前記光ピックアップにより判別された前記光ディスクの種類に応じて、予め定められた回転数で、前記ファンを回転駆動することとする。【選択図】図１
2011170909.tif 000002
【特許請求の範囲】
【請求項１】
光ディスクに記録された情報を再生する光ディスク記録再生装置において、
前記光ディスク記録再生装置は、前記光ディスクに記録された情報を読み取る光ピックアップと、前記光ディスク記録再生装置を換気するファンとを備え、
前記光ピックアップにより判別された前記光ディスクの種類に応じて、予め定められた回転数で、前記ファンを回転駆動することを特徴とする光ディスク記録再生装置。
【請求項２】
前記ファンの前記回転数は、前記光ディスクの動作保証温度に基づいて定められ、動作保証温度の高い光ディスクに対する単位時間当たりのファンの回転数は、動作保証温度の低い光ディスクに対する単位時間当たりのファンの回転数よりも少ないことを特徴とする請求項１に記載の光ディスク記録再生装置。
【請求項３】
前記光ディスクの動作保証温度が、前記光ディスク記録再生装置に備えられた部品の動作保証温度よりも高いときは、前記光ディスク記録再生装置に備えられた前記部品の動作保証温度に基づいて、前記回転数を定めることを特徴とする請求項１または請求項２に記載の光ディスク記録再生装置。
【請求項４】
光ディスクに記録された情報を再生する光ディスク記録再生装置において、
前記光ディスク記録再生装置は、前記光ディスクに記録された情報を読み取る光ピックアップと、前記光ディスク記録再生装置を換気するファンとを備え、
前記光ディスクの再生が終了すると、予め定められた回転数で、所定時間前記ファンを回転駆動することを特徴とする光ディスク記録再生装置。
【請求項５】
前記光ディスクの再生終了後の前記ファンの前記回転数は、光ディスクの種類に応じて定められたファンの回転数及び、前記光ディスク記録再生装置に備えられた部品の動作保証温度に基づき定められたファンの回転数よりも単位時間当たりのファンの回転数が多いことを特徴とする請求項４に記載の光ディスク記録再生装置。
【請求項６】
前記所定時間が経過する前に再生が指示された光ディスクの動作保証温度が、前回再生した光ディスクの動作保証温度より高い場合には、前記前回再生した光ディスクの再生終了後の前記ファンの前記回転駆動を停止し、前記再生が指示された光ディスクの種類に応じて、予め定められた回転数で、前記ファンを回転駆動することを特徴とする請求項４または請求項５に記載の光ディスク記録再生装置。
【発明の詳細な説明】
【技術分野】
【０００１】
本発明は、光ディスク記録再生装置に関し、特に、再生される光ディスクの種類に応じてファンを制御することができる光ディスク記録再生装置に関する。
【背景技術】
【０００２】
一般に、情報をＤＶＤやＢＤ（Ｂｌｕ−ｒａｙ  Ｄｉｓｃ）に記録する装置、または、情報が記録されたＤＶＤやＢＤを再生する装置として、ＤＶＤプレイヤーやＢＤプレイヤー等の光ディスク記録再生装置が普及している。
【０００３】
これら光ディスク記録再生装置は、光ディスクに対する情報の書込み速度や読出し速度が年々速くなっており、これに伴って光ディスクが載置されたターンテーブルを回転させるスピンドルモータの回転速度を増加させる必要がある。スピンドルモータの回転速度は、スピンドルモータ駆動回路の出力電圧により制御され、その出力電圧を高くすることによって回転速度が増加する。このように、スピンドルモータの回転速度が増加すると、スピンドルモータやスピンドルモータ駆動回路からの発熱量が増大する。
【０００４】
また、光ディスク記録再生装置の高機能化に伴い光ピックアップやＣＰＵ等の電子部品等からの発熱量も増加している。
【０００５】
一方、光ディスク記録再生装置が備える電子部品等は、装置内の温度が動作保証温度を超えると動作が不安定になるものがあるため、発生した熱を光ディスク記録装置外へ放熱する必要がある。
【先行技術文献】
【特許文献】
【０００６】
【特許文献１】特開２００４−３０２９９６号公報
【特許文献２】特開２００２−１６３０４０号公報
【発明の概要】
【発明が解決しようとする課題】
【０００７】
そこで、光ディスク記録再生装置においては、ファンが取り付けられており、このファンを回転させることによって装置内の熱を外部に放出し、外気を装置内に取り込んでいる。
【０００８】
しかしながら、光ディスクを再生している間、常に一定回転数でファンを回転駆動させると、ファンが回転する音が騒音となり、例えば、ＢＤの鑑賞時において、スピーカー等から発せられる音声が聞き取りにくくなるという問題があった。
【０００９】
そこで、ファンによる騒音を低減させるファンの回転駆動を制御する方法として、温度センサにより装置内の温度をモニタし、一定の温度に達するとファンを回転駆動させる方法がある。しかし、この方法では、温度センサを光ディスク記録再生装置内に設ける必要があるためコストがかかる。
【００１０】
また、特許文献１には、ユーザが騒音の大きさを制御できるファンの制御方法が開示されている。具体的には、装置内の温度に関わらず、ユーザは任意のタイミングで、ファンの回転数を予め定められた複数の回転数のうち、一つの回転数を選択することで騒音を低減することができる。しかし、この方法では、ファン騒音の低い動作環境を得られる代わりに、動作保証温度を超えた温度で光ディスク記録再生装置を作動させることになり、システムの性能を低下させることになる。
【００１１】
また、特許文献２には、携帯型パーソナルコンピュータにある複数のファイルベイに複数のドライブユニットが設けられた場合に、各ドライブユニットの動作保証温度を読み取り、ドライブユニットを冷却する単数ファンの回転方向及び回転速度を制御する方法が開示されている。しかし、この方法では、例えば、近年急速に普及しているＢＤの記録再生装置において問題が生ずる。すなわち、ＢＤ−Ｒは、動作保証温度が、ＢＤの記録再生装置に内蔵された各電子部品の動作保証温度よりも低い場合があり、その場合には、ドライブユニットの動作保証温度を基準としてファンの制御を行っても、ＢＤ−Ｒの動作が安定しない可能性がある。
【００１２】
本発明は、上述した問題点に鑑み、温度センサを設けることなく光ディスク記録再生装置内の温度が光ディスクの動作保証温度を超えないように制御し、騒音を低減することができる光ディスク記録再生装置を提供することを目的とする。
【００１３】
上記目的を達成するために本発明は、光ディスクに記録された情報を再生する光ディスク記録再生装置において、前記光ディスク記録再生装置は、前記光ディスクに記録された情報を読み取る光ピックアップと、前記光ディスク記録再生装置を換気するファンとを備え、前記光ピックアップにより判別された前記光ディスクの種類に応じて、予め定められた回転数で、前記ファンを回転駆動することを特徴とする。
【００１４】
これによれば、光ディスク記録再生装置のターンテーブルに載置された光ディスクの種類によって予めファンの回転数、回転速度が決められているため、温度センサその他追加の部品を設けることなく、光ディスク記録再生装置内の温度が光ディスクの動作保証温度を超えないように制御することができる。
【００１５】
また、本発明は、前記ファンの前記回転数は、前記光ディスクの動作保証温度に基づいて定められ、動作保証温度の高い光ディスクに対する単位時間当たりのファンの回転数は、動作保証温度の低い光ディスクに対する単位時間当たりのファンの回転数よりも少ないことを特徴とする。
【００１６】
これによれば、動作保証温度の高い光ディスクに対する単位時間当たりの前記ファンの回転数が、動作保証温度の低い光ディスクに対する単位時間当たりの前記ファンの回転数よりも少ないため、動作保証温度の高い光ディスクを再生している際のファンの回転による騒音を低減することができる。特に、ＢＤにおいては、ＢＤ−ＲやＢＤ−ＲＥよりも動作保証温度の高いＢＤ−ＲＯＭの使用が多いと考えられるため、効果的にファンの回転による騒音を低減することができる。
【００１７】
また、本発明は、前記光ディスクの動作保証温度が、前記光ディスク記録再生装置に備えられた部品の動作保証温度よりも高いときは、前記光ディスク記録再生装置に備えられた前記部品の動作保証温度に基づいて、前記回転数を定めることを特徴とする。
【００１８】
これによれば、光ディスクの動作保証温度が、光ディスク記録再生装置内の部品の動作保証温度より高い場合には、部品の動作保証温度に基づいて回転数が定められるため、装置内の温度が、部品の動作保証温度を超えることを防ぐことができる。
【００１９】
また、本発明は、光ディスクに記録された情報を再生する光ディスク記録再生装置において、前記光ディスク記録再生装置は、前記光ディスクに記録された情報を読み取る光ピックアップと、前記光ディスク記録再生装置を換気するファンとを備え、前記光ディスクの再生が終了すると、予め定められた回転数で、所定時間前記ファンを回転駆動することを特徴とする。
【００２０】
これによれば、装置内の温度を短期間で低下させることができるため、動作保証温度の低い新たな光ディスクを再生する際に、動作保証温度を超えた温度で再生が開始されるのを防ぐことができる。
【００２１】
また、本発明は、前記光ディスクの再生終了後の前記ファンの前記回転数は、光ディスクの種類に応じて定められたファンの回転数及び、前記光ディスク記録再生装置に備えられた部品の動作保証温度に基づき定められたファンの回転数よりも単位時間当たりのファンの回転数が多いことを特徴とする。
【００２２】
これによれば、より短期間で装置内の温度を短期間で低下させることができる。
【００２３】
また、本発明は、前記所定時間が経過する前に再生が指示された光ディスクの動作保証温度が、前回再生した光ディスクの動作保証温度より高い場合には、前記前回再生した光ディスクの再生終了後の前記ファンの前記回転駆動を停止し、前記再生が指示された光ディスクの種類に応じて、予め定められた回転数で、前記ファンを回転駆動することを特徴とする。
【００２４】
これによれば、光ディスクの動作保証温度が装置内の温度よりも高い場合には、ファンの回転を光ディスクの種類に応じて予め定められた回転数とすることができ、ファンの回転による騒音を低減することができる。
【発明の効果】
【００２５】
この構成によれば、温度センサその他追加の部品を設けることなく光ディスク記録再生装置内の温度を一定に保ち、且つ、騒音を低減することができる。
【図面の簡単な説明】
【００２６】
【図１】は、本発明の光ディスク記録再生装置の構成の一例を示すブロック図である。
【図２】は、本発明の光ディスク記録再生装置のファンの回転駆動制御処理の一例を示す第１のフローチャートである。
【図３】は、本発明の光ディスク記録再生装置が再生を行う光ディスクとその動作保証温度の関係の一例を示す図である。
【図４】は、動作保証温度とその動作保証温度を維持するために必要なファンの回転数の関係の一例を示す図である。
【図５】は、本発明の光ディスク記録再生装置のファンの回転駆動制御処理の一例を示す第２のフローチャートである。
【図６】は、本発明の光ディスク記録再生装置のファンの回転駆動制御処理の一例を示す第３のフローチャートである。
【発明を実施するための形態】
【００２７】
以下に本発明の実施形態について図面を参照して説明する。
【００２８】
[第１の実施形態]
図１は、本発明における光ディスク記録再生装置の構成の一例を示すブロック図である。本実施形態の光ディスク記録再生装置１は、光ディスクに情報を記録し、また、光ディスクに記録された情報を再生することができる。光ディスクとしては、ＢＤ、ＤＶＤ、ＣＤなどが挙げられる。
【００２９】
図１において、スピンドルモータ２は、光ディスクを載置するターンテーブル３０に連結され、ターンテーブル３０を回転させる。
【００３０】
光ピックアップ３は、光源、レーザダイオード、対物レンズ、該対物レンズを駆動させる対物レンズアクチュエータ（いずれも不図示）を有しており、光源から射出されたレーザ光を光ディスクの記録面に向けて照射し、その反射光を受けて情報の読み取りを行う。
【００３１】
スピンドルモータ駆動回路４は、スピンドルモータ２の回転の制御を行い、所定の回転速度でスピンドルモータ２を回転駆動させる。
【００３２】
レーザ駆動回路５は、光ピックアップ３が備えるレーザダイオードから出射されるレーザ光について、図示しないフロントモニタ用の受光素子で受光される光量を利用してレーザパワーの制御を行う。また、光ディスク記録再生装置１が複数種類の光ディスク（ＢＤ、ＤＶＤ、及びＣＤ等）に対して情報の再生を行えるようになっており、波長の異なるレーザ光を出射する光源を複数有する場合には、その切り換え制御を行う。
【００３３】
スライドモータ駆動回路６は、光ピックアップ３を光ディスクの径方向へ移動させるためにして設けられたピニオン（図示せず）を回転させるスライドモータ（図示せず）の駆動を制御する。
【００３４】
ＲＦアンプ７では、光ピックアップ３によりピックアップされた反射光検出信号から再生ＲＦ信号、フォーカスエラー信号やトラッキングエラー信号等を生成する。生成された再生ＲＦ信号は、後述のイコライザ８に供給され、また、フォーカスエラー信号及びトラッキングエラー信号はサーボ回路１３に供給される。
【００３５】
イコライザ８は、ＲＦアンプ７から供給された再生ＲＦ信号の非対称波形歪みを補正するために波形等化を行う。
【００３６】
Ａ／Ｄ変換器９は、イコライザ８から供給される再生ＲＦ信号について、ＰＬＬ（Ｐｈａｓｅ  Ｌｏｃｋｅｄ  Ｌｏｏｐ）回路を有する同期信号発生回路（図示せず）で生成されたクロックにタイミングを合わせる形で、ＡＤ変換を行う。ＡＤ変換された再生ＲＦ信号は、ＡＶでコーダ部１０に供給される。
【００３７】
ＡＶデコーダ部１０は、Ａ／Ｄ変換器９から供給された再生ＲＦ信号を映像データ及び音声データに分離し、映像データ及び音声データをそれぞれ所定のコーデック形式でデコードし、音声信号及び映像信号を生成する。生成された音声信号は音声出力部１１に供給され、生成された映像信号は映像出力部１２に供給される。
【００３８】
音声出力部１１及び映像出力部１２はそれぞれ音声データ及び映像データを、光ディスク記録再生装置１に接続された表示装置に出力する。
【００３９】
サーボ回路１３では、ＲＦアンプ７から供給されるフォーカスエラー信号やトラッキングエラー信号に基づいて、駆動信号が生成され、生成された駆動信号は、アクチュエータ駆動回路１４に供給される。また、サーボ回路１３は、スライドモータ駆動回路６に対し、スライドモータの駆動制御を行うための駆動信号を供給する。
【００４０】
アクチュエータ駆動回路１４は、サーボ回路から出力される駆動信号に基づいて、対物レンズが光ディスクの記録面に合致するようにアクチュエータの駆動を制御する。
【００４１】
制御部１５は、各種の信号を入出力してスピンドルモータ駆動回路４、レーザ駆動回路５、スライドモータ駆動回路６、ＲＦアンプ７、イコライザ８、サーボ回路１３等の各制御部の全体を統括的に制御する。
【００４２】
システムコントローラ２０は、マイクロコンピュータを備えて、光ディスク記録再生装置１を構成する各部が実行すべき所要の動作に応じて適宜制御処理を実行する。なお、システムコントローラ２０には、メモリ２１が備えられている。メモリ２１には、システムコントローラ２０が各種処理を行う上で必要となる各種のパラメータや動作プログラム等が記憶される。
【００４３】
ファンモータ４０は、図示しないファンを駆動するモータであり、制御部１５から駆動信号を受けてファンの駆動を開始し、または、駆動を終了する。
【００４４】
次に、以上のような構成である本発明の光ディスク記録再生装置のファンの回転駆動制御処理を図２のフローチャートを用いて説明する。
【００４５】
ユーザにより、光ディスク記録再生装置のターンテーブルに光ディスクが載置されると（ステップＳ０１）、ステップＳ０２において、載置された光ディスクの種類（ＢＤやＤＶＤ等）の判別が行われる。
【００４６】
ここで光ディスクの種類を判別する方法は、例えば、光ピックアップ３の対物レンズを駆動装置により上下させ、光ディスク表面から反射層までの厚みの違いに起因する反射光の時間間隔の違いから光ディスクの種類を判別する手法が広く知られている。
【００４７】
ステップＳ０３においては、光ディスク記録再生装置内の部品の動作保証温度が、上述の光ディスクの判別手段によって判明した光ディスクの動作保証温度よりも高いか否かが判断される。その結果、部品の動作保証温度のほうが高い（Ｙ）と判断されればステップＳ０４に進み、部品の動作保証温度のほうが高くない（Ｎ）と判断されればステップＳ０５に進む。
【００４８】
例えば、ターンテーブルに載置された光ディスクがＢＤ−Ｒである場合には、その動作保証温度は５５℃である（図３を参照）。これに対し、光ディスク記録再生装置内で最も動作保証温度が低い部品（例えば光ピックアップ）の動作保証温度が６０℃であるとすると、部品の保証温度のほうが高いためステップＳ０４に進むことになる。
【００４９】
ステップＳ０３において「Ｙ」と判断された場合には、ステップＳ０４において、ファンの回転数を、光ディスクの種類に応じた回転数に設定する。光ディスクがＢＤ−Ｒである場合には、動作保証温度が５５℃であるため、図４を参照してファンの回転数は２５００ｒｐｍに設定される。
【００５０】
ステップＳ０３において「Ｎ」と判断された場合には、ステップＳ０５において、部品の動作保証温度に基づいてファンの回転数を設定する。例えば、部品の動作保証温度が６０℃である場合には、図４を参照してファンの回転数は２０００ｒｐｍに設定される
【００５１】
ステップＳ０４又はステップＳ０５においてファンの回転数が設定されると、現在の光ディスクの再生が終了するまで設定した回転数でファンを回転させる。
【００５２】
[第２の実施形態]
次に、本発明の光ディスク記録再生装置のファンの回転駆動制御処理の別の例を図５のフローチャートを用いて説明する。
【００５３】
ステップＳ１１では、現在光ディスク記録再生装置のターンテーブルに載置されている光ディスク（以下、「光ディスク１」という。）の再生が終了したかどうかが判断される。光ディスク１の再生が終了していなければ（Ｎ）引き続き光ディスク１の動作保証温度を維持するようにファンを回転させる。光ディスク１の再生が終了すると（Ｙ）、ステップＳ１２に進む。
【００５４】
ステップＳ１２では、予め定められた回転数でファンを回転する。ここでのファンの回転数は、光ディスクの種類に応じた回転数又は部品の動作保証温度に基づく回転数よりも単位時間当たりの回転数が多く、例えば２８００ｒｐｍに設定される。
【００５５】
ステップＳ１３では、ステップＳ１２で設定された回転数でファンが所定時間（例えば１０分間）回転する前に、光ディスク１の再生終了後に光ディスク記録再生装置のターンテーブル載置される光ディスク（以下、「光ディスク２」という。）の再生が指示されたかどうかが判断される。所定時間が経過するまで光ディスク２の再生が指示されなければ（Ｎ）、ステップＳ１４に進み、所定時間経過後ファンの駆動を停止する。なお、所定時間経過後（ファン停止後）に光ディスク２が載置され、再生が指示された場合には、上述した第１の実施の形態のファンの回転駆動制御処理を行う。
【００５６】
所定時間経過前に光ディスク２の再生が指示されると（ステップＳ１３（Ｙ））、ステップＳ１５において、光ディスク２の種類（ＢＤやＤＶＤ等）の判別が行われる。
【００５７】
ステップＳ１６においては、光ディスク１の動作保証温度と光ディスク２の動作保証温度が比較される。光ディスク２の動作保証温度のほうが高ければ（Ｙ）、ステップＳ１９に進み、光ディスク２の動作保証温度のほうが低ければ（Ｙ）ステップＳ１７に進む。
【００５８】
ステップＳ１７では、引き続きステップＳ１２で設定された回転数でファンを回転させる。そして、ステップＳ１８では、光ディスク１の再生終了後、ステップＳ１２で設定された回転数でのファンの回転が所定時間（例えば１０分間）経過したかどうかが判断され、所定時間経過していれば（Ｙ）、ステップＳ１９に進む。
【００５９】
ステップＳ１９では、ファンの回転数を、光ディスク２の種類に応じて予め定められた回転数に設定し、光ディスク２の再生が終了するまで設定した回転数でファンを回転させる。なお、光ディスク２の動作保証温度が、光ディスク記録再生装置内の部品の動作保証温度よりも高いときは、第１の実施の形態と同様に、部品の動作保証温度に基づきファンの回転数を決定する。
【００６０】
本実施の形態によれば、光ディスク１の再生終了後、通常のファンの回転数よりも多い回転数でファンを回転させることにより短期間で光ディスク記録再生装置内の温度を低下させることができる。これにより、光ディスク２の動作保証温度が光ディスク１の動作保証温度よりも低い場合であっても、スムーズに光ディスク２の再生を行うことができる。
【００６１】
また、光ディスク１の再生終了後、所定期間経過する前に、光ディスク１の動作保証温度よりも動作保証温度が低い光ディスク２が、光ディスク記録再生装置のターンテーブルに載置され、再生が指示されることが考えられる。この場合、光ディスク１の再生終了直後の光ディスク記録再生装置内の温度は、光ディスク２の動作保証温度よりも高いものと考えられるが、動作保証温度を超えた温度での短期間の光ディスクの再生が即座に光ディスク２の動作に支障を及ぼすものではない。
【００６２】
そこで、本実施の形態では、上述のファンの回転駆動制御処理とすることにより、装置内の温度を短期間で光ディスク２の動作保証温度まで低下させることができるため、装置内の温度が光ディスク２の動作保証温度になるまで光ディスク２の再生を待機させることなく、再生を開始することができる。
【００６３】
[第３の実施形態]
次に、本発明の光ディスク記録再生装置のファンの回転駆動制御処理の別の例を図６のフローチャートを用いて説明する。第２の実施の形態では、光ディスク１の再生終了後、予め定められた回転数でファンを回転することとしているが、本実施形態では、光ディスク１の再生終了から所定時間経過していない場合にのみ、予め定められた回転数でファンを回転することとする。
【００６４】
ユーザにより、光ディスク記録再生装置のターンテーブルに光ディスクが載置されると（ステップＳ２１）、ステップＳ２２において、載置された光ディスクの種類（ＢＤやＤＶＤ等）の判別が行われる。
【００６５】
ステップＳ２３においては、現在載置されている光ディスク（以下、「光ディスクＢ」という。）の前に再生した光ディスク（以下、「光ディスクＡ」という。）の再生終了から所定時間経過しているか否かが判断される。所定時間が経過していれば、光ディスク記録再生装置内の温度が、光ディスクＢの動作保証温度以下であると判断して（Ｙ）ステップＳ２７に進み、経過していなければ（Ｎ）ステップＳ２４に進む。
【００６６】
ステップＳ２４においては、光ディスクＡの動作保証温度と光ディスクＢの動作保証温度が比較される。光ディスクＢの動作保証温度のほうが高ければ、光ディスクＡの再生終了から所定時間経過していなくても、光ディスク記録再生装置の温度は、光ディスクＢの動作保証温度以下であると判断して（Ｙ）ステップＳ２７に進み、光ディスクＢの動作保証温度のほうが低ければ（Ｎ）ステップＳ２５に進む。
【００６７】
ステップＳ２５においては、光ディスク記録再生装置の温度が、光ディスクＢの動作保証温度より高いと考えられるため、ここでのファンの回転数は、光ディスクの種類に応じた回転数又は部品の動作保証温度に基づく回転数よりも単位時間当たりの回転数が多く、例えば２８００ｒｐｍに設定される。
【００６８】
ステップＳ２６においては、ステップＳ１２で設定された回転数でファンが所定時間（例えば１０分間）回転したか否かが判断され、所定時間が経過してなければ（Ｎ）ファンの回転を継続し、所定時間が経過すると（Ｙ）ステップＳ２７に進む。
【００６９】
ステップＳ２７では、ファンの回転数を、光ディスクＢの種類に応じて予め定められた回転数に設定し、光ディスク２の再生が終了するまで設定した回転数でファンを回転させる。なお、光ディスク２の動作保証温度が、光ディスク記録再生装置内の部品の動作保証温度よりも高いときは、第１の実施の形態と同様に、部品の動作保証温度に基づきファンの回転数を決定する。
【００７０】
＜＜変形等＞＞
以上、本発明の実施形態の一例について説明したが、本発明はこれらの内容に限定されるものではない。当該実施形態としては、本発明の主旨を逸脱しない範囲において、種々の改変を加えることが可能である。
【００７１】
例えば、動作保証温度を維持するためのファンの回転数は、装置の大きさ、部品の配置、ファンの大きさ、ファンの数等により変動するものであり、状況に応じてファンの回転数を変動させることができる。
【００７２】
また、光ディスク録画再生装置内のハードディスクに録画されている映像等を視聴した後に、上述のファンの回転駆動制御処理を行うことが考えられる。
【産業上の利用可能性】
【００７３】
本発明は、ファンを有する光ディスク記録再生装置に利用できる。
【符号の説明】
【００７４】
１・・・光ディスク記録再生装置、２・・・スピンドルモータ、３・・・光ピックアップ、４・・・スピンドルモータ駆動回路、５・・・レーザ駆動回路、６・・・スライドモータ駆動回路、７・・・ＲＦアンプ、８・・・イコライザ、９・・・Ａ／Ｄ変換器、１０・・・ＡＶデコーダ部、１１・・・音声出力部、１２・・・映像出力部、１３・・・サーボ回路、１４・・・アクチュエータ駆動回路、１５・・・制御部、２０・・・システムコントローラ、２１・・・メモリ、３０・・・ターンテーブル、４０・・・ファンモータ、５０・・・制御処理部
【図１】
2011170909.tif 000003
【図２】
2011170909.tif 000004
【図３】
2011170909.tif 000005
【図４】
2011170909.tif 000006
【図５】
2011170909.tif 000007
【図６】
2011170909.tif 000008